(57)【要約】【課題】ＨＴＭＬデータにプログラムコードを組み込んで構成したＨＴＭＬデータ生成プログラムについて、ＨＴＭＬデータ部分と、プログラムコード部分との双方の対応関係を意識すること無く、ＨＴＭＬデータ又はプログラムコードの編集処理を可能とする。【解決手段】ＨＴＭＬデータ変換処理部１０１は、ＨＴＭＬデータに含まれるＨＴＭＬエレメントに対してエレメントＩＤを付与したＨＴＭＬデータに変換する。プログラムデータ編集処理部１０２は、プログラムコードにエレメントＩＤを付加したプログラムデータを生成する。ＨＴＭＬデータ生成プログラム生成・表示処理部１０３は、ＨＴＭＬデータに対し、エレメントＩＤに基づいてプログラムデータを組み込み、ＨＴＭＬデータ生成プログラムを生成する。【選択図】      図１
2007108978.tif 000002
【特許請求の範囲】
【請求項１】
ＨＴＭＬデータ中にプログラムコードを組み込んで構成するＨＴＭＬデータ生成プログラムの編集支援方法であって、
前記ＨＴＭＬデータを、当該ＨＴＭＬデータに含まれる各ＨＴＭＬエレメントに対しエレメントＩＤを付与したＨＴＭＬデータに変換するステップと、
前記プログラムコードと、当該プログラムコードの前記ＨＴＭＬデータ中の組み込み位置に対応するＨＴＭＬエレメントに付与されたエレメントＩＤとを有するプログラムデータを生成するステップと、
各プログラムデータに含まれるエレメントＩＤに基づき、前記ＨＴＭＬデータ中の所定位置にプログラムコードを組み込んでＨＴＭＬデータ生成プログラムを生成するステップと
を備えることを特徴とするＨＴＭＬデータ生成プログラム編集支援方法。
【請求項２】
エレメントＩＤを付与した前記ＨＴＭＬデータを読み込み、当該ＨＴＭＬデータに含まれるＨＴＭＬエレメントの一覧を表示するステップと、
一覧表示したＨＴＭＬエレメントの中から任意に指定されたＨＴＭＬエレメントのエレメントＩＤに基づき、対応するプログラムデータを取得して、編集対象として表示するステップと
をさらに備えることを特徴とする請求項１に記載のＨＴＭＬデータ生成プログラム編集支援方法。
【請求項３】
ＨＴＭＬデータ中にプログラムコードを組み込んで構成するＨＴＭＬデータ生成プログラムの編集支援装置であって、
前記ＨＴＭＬデータを、当該ＨＴＭＬデータに含まれる各ＨＴＭＬエレメントについてエレメントＩＤを付与したＨＴＭＬデータに変換する手段と、
前記プログラムコードと、当該プログラムコードの前記ＨＴＭＬデータ中の組み込み位置に対応するＨＴＭＬエレメントに付与されたエレメントＩＤとを有するプログラムデータを生成する手段と、
各プログラムデータに付与されたエレメントＩＤに基づき、前記ＨＴＭＬデータ中の所定位置にプログラムデータを組み込んでＨＴＭＬデータ生成プログラムを生成する手段と
を備えることを特徴とするＨＴＭＬデータ生成プログラム編集支援装置。
【請求項４】
エレメントＩＤを付与した前記ＨＴＭＬデータを読み込み、当該ＨＴＭＬデータに含まれるＨＴＭＬエレメントの一覧を表示して、一覧表示したＨＴＭＬエレメントの中から任意に指定されたＨＴＭＬエレメントのエレメントＩＤに基づき、対応するプログラムデータを取得して、編集対象として表示する手段をさらに備えることを特徴とする請求項３に記載のＨＴＭＬデータ生成プログラム編集支援装置。
【請求項５】
ＨＴＭＬデータ中にプログラムコードを組み込んで構成するＨＴＭＬデータ生成プログラムの編集支援処理プログラムであって、
前記ＨＴＭＬデータを、当該ＨＴＭＬデータに含まれる各ＨＴＭＬエレメントについてエレメントＩＤを付与したＨＴＭＬデータに変換する処理と、
前記プログラムコードと、当該プログラムコードの前記ＨＴＭＬデータ中の組み込み位置に対応するＨＴＭＬエレメントに付与されたエレメントＩＤとを有するプログラムデータを生成する処理と、
各プログラムデータに付与されたエレメントＩＤに基づき、前記ＨＴＭＬデータ中の所定位置にプログラムデータを組み込んでＨＴＭＬデータ生成プログラムを生成する処理と
をコンピュータに実行させるＨＴＭＬデータ生成プログラム編集支援プログラム。
【請求項６】
エレメントＩＤを付与した前記ＨＴＭＬデータを読み込み、当該ＨＴＭＬデータに含まれるＨＴＭＬエレメントの一覧を表示する処理と、
一覧表示したＨＴＭＬエレメントの中から任意に指定されたＨＴＭＬエレメントのエレメントＩＤに基づき、対応するプログラムデータを取得して、編集対象として表示する処理と
をさらにコンピュータに実行させることを特徴とする請求項５に記載のＨＴＭＬデータ生成プログラム編集支援プログラム。
【発明の詳細な説明】
【技術分野】
【０００１】
本発明は、Ｗｅｂアプリケーションを構成するＨＴＭＬデータ生成プログラムの編集支援方法、編集支援装置及び編集支援プログラムに関する。
【背景技術】
【０００２】
一般的に、Ｗｅｂアプリケーションにおいては、クライアントがＷｅｂブラウザであるため、出力データはＨＴＭＬデータ形式としている。Ｗｅｂアプリケーションの出力データをＨＴＭＬデータ形式とするための手段はいくつかあるが、ＨＴＭＬデータ中にプログラムコードを組み込むことでＨＴＭＬデータを生成する技術を利用する方式が一般的である。このような方式の具体例としてＡＳＰ(Active Server Pages)やＪＳＰ(Java Server Pages)などの技術がある（「Ｊａｖａ」は米国サンマイクロシステムズ社の登録商標である）。
従来のＨＴＭＬデータ生成プログラムの開発では、まず、Ｗｅｂアプリケーションの出力画面のデザインを決定し、決定したデザインを元にＨＴＭＬデータを作成するとともに、ＨＴＭＬデータ中にプログラムコードを組み込むことにより、ＨＴＭＬデータ生成プログラムを完成させていた。
このようなＨＴＭＬデータ生成プログラムの編集支援装置としては、予めいくつかのデザイン用のＨＴＭＬデータをテンプレートとして用意しておき、テンプレートの組合せを指定させることで、出力画面のデザインに対応したＨＴＭＬデータの生成支援を行う手段を備えた構成が公知となっている（例えば、特許文献１参照。）。
【特許文献１】特開２００１−２２９０５５号公報
【発明の開示】
【発明が解決しようとする課題】
【０００３】
しかし、前記特許文献１に記載のＨＴＭＬデータ生成プログラム編集支援装置では、ＨＴＭＬデータにプログラムコードを組み込んだ後の編集処理については考慮されていなかった。
従って、出力画面のデザイン変更や業務ロジックの変更等によりＨＴＭＬデータ部分やプログラムコード部分の修正が必要となった場合には、双方の対応関係を考慮した修正作業が必要となり作業負担が多大なものとなっていた。また、変更後のデザインを元に新たなＨＴＭＬデータを作成した後に、再度プログラムコードを組み込むことも可能であるが、元のＨＴＭＬデータの組み込み位置に対応する位置等を判断して組み込むことは困難なものとなっていた。
特に、近年のプログラム開発においては、ＨＴＭＬデータ部分と、プログラムコード部分とを複数の担当者が分担して作成することが一般に行われているため、ＨＴＭＬデータ部分とプログラムコード部分との双方の対応関係を考慮した修正作業が非常に困難なものとなっていた。
【０００４】
本発明は前記課題を解決するためのものであり、ＨＴＭＬデータにプログラムコードを組み込んで構成したＨＴＭＬデータ生成プログラムについて、ＨＴＭＬデータ部分と、プログラムコード部分との双方の対応関係を意識すること無く、ＨＴＭＬデータ又はプログラムコードの編集処理を可能とするＨＴＭＬデータ生成プログラム開発支援装置を提供することを目的とする。
【課題を解決するための手段】
【０００５】
前記課題を解決するため本発明は、ＨＴＭＬデータ中にプログラムコードを組み込んで構成するＨＴＭＬデータ生成プログラムの編集支援方法であって、前記ＨＴＭＬデータを、当該ＨＴＭＬデータに含まれる各ＨＴＭＬエレメントに対しエレメントＩＤを付与したＨＴＭＬデータに変換するステップと、前記プログラムコードと、当該プログラムコードの前記ＨＴＭＬデータ中の組み込み位置に対応するＨＴＭＬエレメントに付与されたエレメントＩＤとを有するプログラムデータを生成するステップと、各プログラムデータに含まれるエレメントＩＤに基づき、前記ＨＴＭＬデータ中の所定位置にプログラムコードを組み込んでＨＴＭＬデータ生成プログラムを生成するステップとを備えることを特徴とする。
また、エレメントＩＤを付与した前記ＨＴＭＬデータを読み込み、当該ＨＴＭＬデータに含まれるＨＴＭＬエレメントの一覧を表示するステップと、一覧表示したＨＴＭＬエレメントの中から任意に指定されたＨＴＭＬエレメントのエレメントＩＤに基づき、対応するプログラムデータを取得して、編集対象として表示するステップとをさらに備えることを特徴とする。
また、本発明の編集支援装置は、ＨＴＭＬデータ中にプログラムコードを組み込んで構成するＨＴＭＬデータ生成プログラムの編集支援装置であって、前記ＨＴＭＬデータを、当該ＨＴＭＬデータに含まれる各ＨＴＭＬエレメントについてエレメントＩＤを付与したＨＴＭＬデータに変換する手段と、前記プログラムコードと、当該プログラムコードの前記ＨＴＭＬデータ中の組み込み位置に対応するＨＴＭＬエレメントに付与されたエレメントＩＤとを有するプログラムデータを生成する手段と、各プログラムデータに付与されたエレメントＩＤに基づき、前記ＨＴＭＬデータ中の所定位置にプログラムデータを組み込んでＨＴＭＬデータ生成プログラムを生成する手段とを備えることを特徴とする。
また、エレメントＩＤを付与した前記ＨＴＭＬデータを読み込み、当該ＨＴＭＬデータに含まれるＨＴＭＬエレメントの一覧を表示して、一覧表示したＨＴＭＬエレメントの中から任意に指定されたＨＴＭＬエレメントのエレメントＩＤに基づき、対応するプログラムデータを取得して、編集対象として表示する手段をさらに備えることを特徴とする。
また、本発明の編集支援処理プログラムは、ＨＴＭＬデータ中にプログラムコードを組み込んで構成するＨＴＭＬデータ生成プログラムの編集支援処理プログラムであって、前記ＨＴＭＬデータを、当該ＨＴＭＬデータに含まれる各ＨＴＭＬエレメントについてエレメントＩＤを付与したＨＴＭＬデータに変換する処理と、前記プログラムコードと、当該プログラムコードの前記ＨＴＭＬデータ中の組み込み位置に対応するＨＴＭＬエレメントに付与されたエレメントＩＤとを有するプログラムデータを生成する処理と、各プログラムデータに付与されたエレメントＩＤに基づき、前記ＨＴＭＬデータ中の所定位置にプログラムデータを組み込んでＨＴＭＬデータ生成プログラムを生成する処理とをコンピュータに実行させる。
また、エレメントＩＤを付与した前記ＨＴＭＬデータを読み込み、当該ＨＴＭＬデータに含まれるＨＴＭＬエレメントの一覧を表示する処理と、一覧表示したＨＴＭＬエレメントの中から任意に指定されたＨＴＭＬエレメントのエレメントＩＤに基づき、対応するプログラムデータを取得して、編集対象として表示する処理とをさらにコンピュータに実行させることを特徴とする。
【発明の効果】
【０００６】
以上の構成により本発明では、ＨＴＭＬデータにプログラムコードを組み込んで構成したＨＴＭＬデータ生成プログラムについて、ＨＴＭＬデータ部分と、プログラムコード部分との対応関係を意識すること無く、ＨＴＭＬデータ又はプログラムコードの編集処理を行うことが可能となる。
【発明を実施するための最良の形態】
【０００７】
以下、本発明の一実施の形態に係るＨＴＭＬデータ生成プログラムについて、図面に基づき説明する。
図１は、本発明の一実施の形態に係るＨＴＭＬデータ生成プログラム編集支援装置の概略構成を示すブロック図である。
ＨＴＭＬデータ生成プログラム編集装置１００は、ＨＴＭＬデータ変換処理部１０１，プログラムデータ編集処理部１０２，ＨＴＭＬデータ生成プログラム生成・表示処理部１０３の各処理部と、ＨＴＭＬデータ格納部１０４，プログラムデータ格納部１０５の各情報格納部とを備えている。
ＨＴＭＬデータ変換処理部１０１は、担当者により作成されたＨＴＭＬデータを読み込み、ＨＴＭＬデータに含まれるＨＴＭＬエレメントに対してエレメントＩＤを付与したＨＴＭＬデータに変換してＨＴＭＬデータ格納部１０３に格納する。
プログラムデータ編集処理部１０２は、任意に指定されたプログラムコード組み込み位置に対応するＨＴＭＬエレメントのエレメントＩＤを取得し、担当者により作成されたプログラムコードにエレメントＩＤを付加したプログラムデータを生成して、プログラムデータ格納部１０５に格納する。
ＨＴＭＬデータ生成プログラム生成・表示処理部１０３は、ＨＴＭＬデータ格納部１０４に格納されたＨＴＭＬデータに対し、プログラムデータ格納部１０５に格納されたプログラムデータを、エレメントＩＤに基づいて組み込み、ＨＴＭＬデータ生成プログラムを生成して表示画面に表示する。
なお、本実施の形態に係るＨＴＭＬデータ生成プログラム編集支援装置１００は、例えば、システムバスに沿って接続されたＣＰＵ，主記憶装置（ランダムアクセス・メモリ），大容量記憶装置及び入出力装置で構成される。ＣＰＵはＨＴＭＬデータ生成プログラム編集支援プログラムにより構成される各処理部１０〜１０３の処理を実行する。また、大容量記憶装置はＨＴＭＬデータ格納部１０４及プログラムコード格納部１０５を有する。
【０００８】
図２は、本実施の形態に係るＨＴＭＬデータ生成プログラム編集支援装置１００の処理対象となる各データの一例を示す図である。
ＨＴＭＬデータ生成プログラム編集装置１００では、ＨＴＭＬデータ２１０と、プログラムデータ２２０とに基づき、ＨＴＭＬデータ生成プログラム２３０を生成する。
ＨＴＭＬデータ２１０は、ＨＴＭＬデータ生成プログラム２３０を構成するＨＴＭＬデータ部の各ＨＴＭＬエレメント２１１に対し、エレメントＩＤ２１２を付与している。
プログラムデータ２２０は、プログラムコード２２１に対し、ＨＴＭＬデータ２１０中の組み込み位置に対応するＨＴＭＬエレメントに付与されたエレメントＩＤ２２２を付加している。
なお、本例では、ＨＴＭＬデータ生成プログラム２３０として特定のＨＴＭＬデータを示しているが、本発明は、ＸＨＴＭＬを含むＨＴＭＬデータの生成プログラム一般に適用可能なものである。
【０００９】
図３は、本実施の形態に係るＨＴＭＬデータ生成プログラム編集支援装置１００の表示する編集画面の画面構成の一例を示す図である。
本例に示すように編集画面３００は、エレメントデータ表示・選択部３０１，エレメントＩＤ表示部３０２，ＨＴＭＬデータ表示部３０３，プログラムコード表示部３０４及びＨＴＭＬデータ生成プログラム表示部３０５から構成している。
エレメントデータ表示・選択部３０１は、ＨＴＭＬデータに含まれるＨＴＭＬエレメントのツリー構造を表示し、開発担当者等によるＨＴＭＬエレメントの選択を受付ける。
エレメントＩＤ表示部３０２は、エレメントデータ表示・選択部３０１において選択されたＨＴＭＬエレメントのエレメントＩＤを表示する。
ＨＴＭＬデータ表示部３０３は、エレメントＩＤ表示部３０２に表示されたエレメントＩＤの付与されているＨＴＭＬエレメントを表示する。この場合、ＨＴＭＬエレメントに付与されたエレメントＩＤは削除して表示する。
プログラムコード表示部３０４は、エレメントＩＤ表示部３０２に表示されたエレメントＩＤの付加されたプログラムコードを表示する。
ＨＴＭＬデータ生成プログラム表示部３０５は、ＨＴＭＬデータに付与されたエレメントＩＤに基づき、所定の組み込み位置にプログラムコードを組み込んで構成したＨＴＭＬデータ生成プログラムを表示する。
【００１０】
以上の構成に基づき、本実施の形態に係るＨＴＭＬデータ生成プログラム編集支援装置１００の行う処理について説明する。
図４は、ＨＴＭＬデータ変換処理手順を示すフローチャートである。
ＨＴＭＬデータ変換処理部１０１は、担当者により作成されたＨＴＭＬデータを読込んで解析し、ＨＴＭＬデータに含まれるＨＴＭＬエレメントデータを取得する（ステップ４０１）。
エレメントＩＤ番号記録用のデータ値を「０」に初期設定する（ステップ４０２）。
エレメントＩＤが付与されていないＨＴＭＬエレメントデータを保持するエレメントＩＤ未設定リストを空にする（ステップ４０３）。
ステップ４０１で解析したＨＴＭＬデータに含まれる全てのＨＴＭＬエレメントデータに対して、以下の処理を行う（ステップ４０４）。
まず、ＨＴＭＬエレメントデータにエレメントＩＤが付与されているか否かを判定し、（ステップ４０５）、エレメントＩＤが付与されている場合には、さらに、エレメントＩＤの値と番号記録用のデータ値とを比較する(ステップ４０６)。比較の結果、エレメントＩＤの値が大きい場合には、番号記録用データ値をエレメントＩＤに再設定した後（ステップ４０７）、次のＨＴＭＬエレメントデータについて処理を繰り返す（ステップ４０４）。
一方、ステップ４０５において、ＨＴＭＬエレメントデータにエレメントＩＤが付与されていないと判定した場合には、ステップ４０３で空にしたエレメントＩＤ未設定リストに、ＨＴＭＬエレメントデータを追加した後（ステップ４０８）、次のＨＴＭＬエレメントデータについて処理を繰り返す（ステップ４０４）。
ステップ４０６の判定の結果、エレメントＩＤの値がエレメントＩＤ番号記録用データ値以下の場合には、次のＨＴＭＬエレメントデータについて処理を繰り返す（ステップ４０４）。
以上の処理を全てのＨＴＭＬエレメントデータについて行った後、エレメントＩＤ未設定リストに格納された全てのＨＴＭＬエレメントデータについて以下の処理を行う（ステップ４０９）。
ステップ４０２又はステップ４０７で設定したエレメントＩＤ番号記録用データ値を「１」増やし（ステップ４１０）、エレメントＩＤ未設定リストに格納されたＨＴＭＬエレメントデータのエレメントＩＤとして設定する（ステップ４１１）。
以上の処理を繰り返し、全てのＨＴＭＬエレメントデータに対しエレメントＩＤを設定した後（ステップ４０９）、ＨＴＭＬデータのＨＴＭＬエレメントにエレメントＩＤを付与したＨＴＭＬデータを変換処理後のＨＴＭＬデータとして、ＨＴＭＬデータ格納部１０４に格納する（ステップ４１２）。
【００１１】
図５は、プログラムデータ表示・編集処理手順を示すフローチャートである。
まず、ＨＴＭＬデータ生成プログラム生成・表示処理部１０３は、ＨＴＭＬデータ格納部１０４に格納されたＨＴＭＬデータを読み込んで解析し（ステップ５０１）、ＨＴＭＬデータのＨＴＭＬエレメントのツリー構造を編集画面３００上のＨＴＭＬエレメント表示・選択部３０１に表示する（ステップ５０２）。
次に、プログラムコード編集処理部１０２は、プログラムコード編集終了操作がされるまで、以下の処理を繰り返す（ステップ５０３）。
担当者によるＨＴＭＬエレメント表示・選択部３０１に表示したＨＴＭＬエレメントの選択を受付ける（ステップ５０４）。
選択されたＨＴＭＬエレメントに対応するＨＴＭＬエレメントＩＤを、エレメントＩＤ表示部３０２に表示するとともに、対応するＨＴＭＬデータをＨＭＴＬデータ表示部３０３に表示する（ステップ５０５）。
表示したＨＴＭＬエレメントＩＤが付加されたプログラムデータがプログラムデータ格納部１０５に存在するか否かを判定し（ステップ５０６）、該当するプログラムデータが存在する場合には、プログラムコード表示・編集部３０４に表示する（ステップ５０７）。
一方、該当するプログラムコードが存在しない場合には、プログラムコード表示・編集部３０４に新規作成画面を表示する（ステップ５０８）。
プログラムコード表示・編集部３０４におけるプログラムコードの作成・修正操作を受付ける（ステップ５０９）。
以上の処理を編集終了操作まで繰り返した後、プログラムコードを更新したプログラムデータをプログラムデータ格納部１０５に格納する（ステップ５１０）。ここで、プログラムデータの新規作成の場合には、ステップ５０４で選択されたＨＴＭＬエレメントのエレメントＩＤを付加する。
【００１２】
図６は、ＨＴＭＬデータ生成プログラム生成・表示処理手順を示すフローチャートである。
まず、ＨＴＭＬデータ生成プログラム生成・表示処理部１０３は、ＨＴＭＬデータ格納部１０４に格納されたＨＴＭＬデータを読み込んで解析し（ステップ６０１）、ＨＴＭＬデータのＨＴＭＬエレメントのツリー構造を編集画面３００上のＨＴＭＬエレメント表示・選択部３０１に表示する（ステップ６０２）。
次に、プログラムデータ格納部１０５に格納されている全てのプログラムデータについて以下の処理を繰り返す（ステップ６０３）。
プログラムデータ格納部１０５に格納されているプログラムデータを読み込み（ステップ６０４）、ＨＴＭＬデータ中に、プログラムデータに含まれるエレメントＩＤと同一のエレメントＩＤが存在するか否かを判定する（ステップ６０５）。
同一のエレメントＩＤが存在する場合には、当該エレメントＩＤを有するＨＴＭＬエレメントに、プログラムデータに含まれるプログラムコードを対応付ける（ステップ６０６）。
一方、同一のエレメントＩＤが存在しない場合には、プログラムデータを破棄する（ステップ６０７）。
以上の処理を全てのプログラムデータについて繰り返した後（ステップ６０３）、ステップ６０６で対応付けた全てのＨＴＭＬエレメントとプログラムコードと置き換える（ステップ６０８，６０９）。
ステップ６０６で対応付けた全てのＨＴＭＬエレメントの置き換えが完了した後、置き換え後のＨＴＭＬデータをＨＴＭＬデータ生成プログラムとしてＨＴＭＬデータ生成プログラム表示部３０５に表示して処理を終了する（ステップ６１０）。
【００１３】
以上のように、本実施の形態に係るＨＴＭＬデータ生成プログラム編集支援装置によれば、ＨＴＭＬデータ生成プログラムの編集において、ＨＴＭＬデータとプログラムコードとの双方の対応関係を意識することなく、ＨＴＭＬデータとプログラムコードの編集作業を独立して行うことが可能となる。
【図面の簡単な説明】
【００１４】
【図１】本発明の一実施の形態に係るＨＴＭＬデータ生成プログラム編集支援装置の概略構成を示すブロック図である。
【図２】本発明の一実施の形態に係るＨＴＭＬデータ生成プログラム編集支援装置の処理対象となる各データのデータ構造の一例を示す図である。
【図３】本発明の一実施の形態に係るＨＴＭＬデータ生成プログラム編集支援装置の表示する編集画面の画面構成の一例を示す図である。
【図４】ＨＴＭＬデータ生成プログラム編集支援装置によるＨＴＭＬデータ生成処理手順を示す図である。
【図５】ＨＴＭＬデータ生成プログラム編集支援装置によるプログラムデータ編集処置手順を示す図である。
【図６】ＨＴＭＬデータ生成プログラム編集支援装置によるＨＴＭＬデータ生成プログラム生成・表示処理手順を示す図である。
【符号の説明】
【００１５】
１００  ＨＴＭＬデータ生成プログラム編集支援装置、１０１  ＨＴＭＬデータ変換処理部、１０２  プログラムデータ編集処理部、１０３  ＨＴＭＬデータ生成プログラム生成・表示処理部、１０４  ＨＴＭＬデータ格納部、１０５  プログラムデータ格納部、２１０  ＨＴＭＬデータ、２１１  ＨＴＭＬエレメント、２１２  エレメントＩＤ、２２０  プログラムデータ、２２１  プログラムコード、２２２  エレメントＩＤ、２３０  ＨＴＭＬデータ生成プログラム。
【図１】
2007108978.tif 000003
【図２】
2007108978.tif 000004
【図３】
2007108978.tif 000005
【図４】
2007108978.tif 000006
【図５】
2007108978.tif 000007
【図６】
2007108978.tif 000008